(57)【特許請求の範囲】
【請求項１】
箱状をなし、底板から立設された矩形状の側壁を有するとともに、前記側壁が、該側壁の長辺方向への長さより短い高さで前記底板から立設されたケースを有するとともに、前記ケース内に電池が収容された電池パックの前記側壁に取り付けられる熱交換器ユニットであって、
前記ケース内に供給される熱媒体の温度調節を行う温度調節装置と、
前記温度調節装置と熱的に結合されるフィンを複数有するとともに、隣り合うフィンの間にフィン間流路が区画された熱交換器と、
前記フィンが配設されるとともに前記熱媒体が流れる流路を区画し、前記ケース内に開口する前記流路の流出口を形成する流路区画部と、を一体に備え、
前記複数のフィンが、前記側壁の高さ方向に延びるとともに、前記長辺方向に間隔を空けて並設されるように前記ケースに取り付けられ、前記フィン間流路が前記流出口に向けて開口し、
前記流路区画部は、前記流路に向けて前記熱媒体を供給する供給手段を一体に備え、
前記流路区画部、前記温度調節装置、及び前記供給手段は取付部材に一体化される一方で、前記側壁には、前記流路区画部、前記温度調節装置、及び前記供給手段を前記ケース内に露出させる透孔が形成され、前記取付部材が、前記側壁の前記透孔周りに当接することを特徴とする熱交換器ユニット。
【請求項２】
前記フィン間流路への前記熱媒体の入口は、前記ケースの高さ方向の上側に位置し、前記フィン間流路からの前記熱媒体の出口は、前記高さ方向の下側に位置していることを特徴とする請求項１に記載の熱交換器ユニット。
【請求項３】
前記温度調節装置は通電の極性に応じて吸熱と放熱の相反する作用を行う第１面及び第２面を有する熱電変換素子であり、前記第１面に前記フィンが熱的に結合されるとともに、前記第２面には、外用フィンが熱的に結合され、前記ケースの外側に前記外用フィンが配設されていることを特徴とする請求項１又は請求項２に記載の熱交換器ユニット。
【請求項４】
前記流路は、前記フィンの並設方向に延び、各フィン間流路に前記熱媒体を分配可能に連通する分配路を備えることを特徴とする請求項１〜請求項３のうちいずれか１項に記載の熱交換器ユニット。
【請求項５】
前記流出口は、前記ケース内で高さ方向の下方に向けて開口していることを特徴とする請求項１〜請求項４のうちいずれか１項に記載の熱交換器ユニット。
【発明の詳細な説明】
【技術分野】
【０００１】
本発明は、ケース内に電池が収容された電池パックの側壁に取り付けられる熱交換器ユニットに関する。
【背景技術】
【０００２】
二次電池は、規定温度に保たれることにより寿命が長くなる。このため、特許文献１に記載の電池パックでは、二次電池の温度調節が行われている。
図８に示すように、電池パック１００は、ケース１０４内に電池組立体１０２が収容されることで形成されている。この電池組立体１０２は、角形電池１０１をその厚み方向に一定間隔毎に並べて形成されるとともに、隣り合う角形電池１０１間には熱媒体の流通する熱媒体通路１０３が形成されている。ケース１０４内において角形電池１０１の高さ方向上側には、熱媒体通路１０３に熱媒体を送給する送給通路１０５が形成されている。また、ケース１０４内において角形電池１０１の高さ方向下側には、熱媒体通路１０３から排出された熱媒体が流通する排出通路１０６が形成されている。ケース１０４内には、排出通路１０６から排出された熱媒体を送給通路１０５に供給するファン１０７が配設されている。ファン１０７の吸入側と排出通路１０６は、吸入ダクト１０８によって接続されている。また、ファン１０７の吐出側と送給通路１０５は、送給ダクト１０９によって接続されている。なお、図示しないがファン１０７の吐出側と送給ダクト１０９の間には、加熱・冷却手段が配設されている。
【０００３】
上記のように構成された電池パック１００は、ファン１０７が回転することにより、加熱・冷却手段によって加熱又は冷却された熱媒体が送給ダクト１０９を介して送給通路１０５に供給されるとともに、その熱媒体が送給通路１０５から熱媒体通路１０３に供給される。そして、熱媒体通路１０３に送給された熱媒体により、角形電池１０１の加熱又は冷却が行われる。更に、熱媒体通路１０３を流通した熱媒体は、排出通路１０６に排出され、ファン１０７の回転により送給通路１０５に再度送給され、ケース１０４内を循環する。
【先行技術文献】
【特許文献】
【０００４】
【特許文献１】特開２００４−２８８５２７号公報
【発明の概要】
【発明が解決しようとする課題】
【０００５】
ところで、特許文献１に記載の電池パック１００は、加熱・冷却手段によって加熱又は冷却された熱媒体をケース１０４内で循環させるために、送給ダクト１０９によってファン１０７の吐出側と送給通路１０５を接続する必要がある。また、吸入ダクト１０８によってファン１０７の吸入側と、排出通路１０６とを接続する必要がある。
【０００６】
本発明は、このような従来技術の問題点に鑑みてなされたものであり、その目的は、ダクトを設けることなく、熱媒体の偏流を抑制しつつ、ケース内で熱媒体を循環させることができる熱交換器ユニットを提供することにある。
【課題を解決するための手段】
【０００７】
上記課題を解決するため、請求項１に記載の発明は、箱状をなし、底板から立設された矩形状の側壁を有するとともに、前記側壁が、該側壁の長辺方向への長さより短い高さで前記底板から立設されたケースを有するとともに、前記ケース内に電池が収容された電池パックの前記側壁に取り付けられる熱交換器ユニットであって、前記ケース内に供給される熱媒体の温度調節を行う温度調節装置と、前記温度調節装置と熱的に結合されるフィンを複数有するとともに、隣り合うフィンの間にフィン間流路が区画された熱交換器と、前記フィンが配設されるとともに前記熱媒体が流れる流路を区画し、前記ケース内に開口する前記流路の流出口を形成する流路区画部と、を一体に備え、前記複数のフィンが、前記側壁の高さ方向に延びるとともに、前記長辺方向に間隔を空けて並設されるように前記ケースに取り付けられ、前記フィン間流路が前記流出口に向けて開口し、前記流路区画部は、前記流路に向けて前記熱媒体を供給する供給手段を一体に備え、前記流路区画部、前記温度調節装置、及び前記供給手段は取付部材に一体化される一方で、前記側壁には、前記流路区画部、前記温度調節装置、及び前記供給手段を前記ケース内に露出させる透孔が形成され、前記取付部材が、前記側壁の前記透孔周りに当接することを要旨とする。
【０００８】
これによれば、流路で熱媒体が流れると、熱媒体は各フィン間流路を流れて流出口からケース内に供給される。また、フィンは、側壁の長辺方向に並設されているため、それらフィンによって区画される複数のフィン間流路を側壁の長辺方向に沿って並設することができる。そして、複数のフィン間流路は流出口に向けて開口しているため、流出口そのものを側壁の長辺方向に延びるように開口させることができる。したがって、フィンが、側壁の長辺方向に延び、フィン間流路が側壁の短辺方向に並設されている場合と比べるとフィン間流路の数、ひいては流出口の開口の大きさを増やすことができる。よって、熱交換器で熱交換された熱媒体は、側壁の長辺方向のほぼ全体を使って流出口からケース内に供給され、長辺方向での熱媒体の偏流を抑制しつつ、ケース内で循環させることができる。
また、熱交換器ユニットをケースの側壁に取り付けるときに、温度調節装置と、熱交換器と、流路区画部とに加え、供給手段もケースに取り付けることができ、熱交換器ユニットのケースへの取付性を良好なものにすることができる。
さらに、透孔の周りでは、側壁と取付部材との当接によって、それら側壁と取付部材との間がシールされ、ケース内の熱媒体が透孔を介してケース外へ洩れることを防止できる。よって、熱交換器ユニットのケースへの取付と同時に熱媒体の洩れも防止することができる。
【０００９】
また、前記フィン間流路への前記熱媒体の入口は、前記ケースの高さ方向の上側に位置し、前記フィン間流路からの前記熱媒体の出口は、前記高さ方向の下側に位置していてもよい。
【００１０】
これによれば、流路内で結露が生じた場合には、結露水は、熱媒体の流れと重力に従って流出口から排出される。したがって、例えば、熱媒体が下方から上方へ流れる場合のように、結露水の重力落下が熱媒体の流れによって邪魔されることがなく、流路内に結露水が貯留されることが防止される。
【００１１】
また、前記温度調節装置は通電の極性に応じて吸熱と放熱の相反する作用を行う第１面及び第２面を有する熱電変換素子であり、前記第１面に前記フィンが熱的に結合されるとともに、前記第２面には、外用フィンが熱的に結合され、前記ケースの外側に前記外用フィンが配設されていてもよい。
【００１２】
これによれば、熱電変換素子への通電の極性を変更することで、電池の加熱又は冷却を行うことができる。したがって、単一の温度調節装置で、加熱及び冷却の両方を行うことができる。また、外用フィンで熱電変換素子の第２面と熱交換を行うことができるため、第１面と第２面の温度差が大きくなることを抑制して、熱電変換効率の低下を抑制することができる。
【００１３】
また、前記流路は、前記フィンの並設方向に延び、各フィン間流路に前記熱媒体を分配可能に連通する分配路を備えてもよい。
これによれば、分配路を流れる熱媒体は、フィンの並設方向に沿って流通する。そして、分配路を流通する熱媒体は、分配路を流通するにしたがい、各フィン間流路に供給される。したがって、複数のフィン間流路間で、熱媒体の流量の差が小さくなり、流出口からケースに流出する熱媒体の偏流が抑えられる。
【００１７】
また、前記流出口は、前記ケース内で高さ方向の下方に向けて開口していてもよい。
これによれば、流路においてフィン間流路を流通した熱媒体は、流通方向が変更されることなく流出口からケース内に流出する。これによれば、熱媒体の偏流が抑制され、熱媒体は適切に流通する。
【発明の効果】
【００１８】
本発明によれば、ダクトを設けることなく、熱媒体の偏流を抑制しつつ、ケース内で熱媒体を循環させることができる。
【図面の簡単な説明】
【００１９】
【図１】実施形態における電池パックを示す斜視図。
【図２】実施形態におけるケースを示す斜視図。
【図３】実施形態における熱交換器ユニットを示す分解斜視図。
【図４】実施形態における熱交換器ユニットを示す断面図。
【図５】図１のＡ−Ａ線断面図。
【図６】別例の熱交換器ユニットの一部を破断して示す側面図。
【図７】（ａ）は別例の熱交換器ユニットの一部を破断して示す側面図、（ｂ）は（ａ）に示す熱交換器ユニットの断面図。
【図８】従来技術を示す断面図。
【発明を実施するための形態】
【００２０】
以下、本発明を具体化した一実施形態について図１〜図５にしたがって説明する。
図１に示すように、電池パック１０は、四角箱状のケース２０と、ケース２０の内部に収容された複数（本実施形態では３個）の電池モジュール３０と、ケース２０に取り付けられた熱交換器ユニット４０によって構成されている。
【００２１】
図２に示すように、電池パック１０のケース２０は、矩形平板状をなす底板２１と、底板２１の対向する一対の側辺から立設された矩形板状の第１側壁２２ａ，２２ｂと、底板２１の対向する別の一対の側辺から立設された矩形板状の第２側壁２３ａ，２３ｂと、第１側壁２２ａ，２２ｂ及び第２側壁２３ａ，２３ｂ上に支持された矩形平板状をなす天板２４と、から形成されている。第１側壁２２ａには、熱交換器ユニット４０の一部が挿通される透孔２２ｃが形成されている。なお、第１側壁２２ａ，２２ｂ及び第２側壁２３ａ，２３ｂにおいて、底板２１と天板２４の対向方向が短辺方向となり、第１側壁２２ａ，２２ｂ及び第２側壁２３ａ，２３ｂの底板２１の側縁に沿った方向が長辺方向となる。よって、第１側壁２２ａ，２２ｂ及び第２側壁２３ａ，２３ｂは、それぞれ、高さが長辺方向への長さより短くなっており、本実施形態のケース２０は、扁平に形成されている。
【００２２】
図３に示すように、熱交換器ユニット４０は、熱電変換ユニット５０と、熱電変換ユニット５０と一体化され、熱媒体の第１流路５１を形成する第１流路形成部材６１と、熱電変換ユニット５０と一体化され、熱媒体の第２流路５２を形成する第２流路形成部材６２と、を備える。
【００２３】
図４に示すように、熱電変換ユニット５０は、温度調節装置としての複数の熱電変換素子４１と、熱電変換素子４１の第１面４１ａに接合される第１熱交換器４２と、熱電変換素子４１の第２面４１ｂに接合される第２熱交換器４３と、からなる。複数の熱電変換素子４１は、基板３２に設けられた導体パターン３３に電気的に接続されている。
【００２４】
第２熱交換器４３は、矩形平板状をなす基部４４に対して複数の外用フィン４５を一定の間隔をおいて並設して形成されている。各外用フィン４５は、基部４４における対向する長辺のうち、一方の長辺から他方の長辺に向けて直線状に延設されている。また、複数の外用フィン４５は、基部４４における対向する短辺のうち、一方の短辺から他方の短辺に向けて並設されている。これにより、外用フィン４５と熱電変換素子４１は、熱的に結合されている。
【００２５】
基部４４において外用フィン４５の並設面と反対側の面には、熱電変換素子４１が接合されている。熱電変換素子４１は、複数のＰ型半導体素子と複数のＮ型半導体素子を直列接続して構成されており、通電の極性に応じて吸熱と放熱の相反する作用を行う第１面４１ａ及び第２面４１ｂを有している。そして、熱電変換素子４１の第２面４１ｂは、第２熱交換器４３の基部４４に接合されている。
【００２６】
熱電変換素子４１の第１面４１ａには、第１熱交換器４２の基部４７が接合されている。第１熱交換器４２は、矩形平板状をなす基部４７に対して複数のフィン４８を一定の間隔をおいて並設して形成されている。
【００２７】
図５に示すように、各フィン４８は、基部４７における対向する長辺のうち、一方の長辺から他方の長辺に向けて直線状に延設されている。また、複数のフィン４８は、基部４７における対向する長辺のうち、一方の長辺との離間距離が他方の長辺との離間距離に比べて長くなっている。フィン４８は、基部４７における対向する長辺のうち、一方の長辺から他方の長辺に向けて延設されている。フィン４８は、基部４７における対向する短辺のうち、一方の短辺から他方の短辺に向けて並設されている。これにより、フィン４８と熱電変換素子４１は熱的に結合されている。
【００２８】
図３に示すように、第１流路形成部材６１は、四角枠状に形成されたベース７１を備え、このベース７１には、矩形状の開口部７２が形成されている。開口部７２の一対の短辺からは、第１側壁７３ａが立設されている。開口部７２の一方の長辺からは、第２側壁７３ｂが立設されるとともに、側壁７３ａ，７３ｂの先端には、第３側壁７３ｃが設けられている。そして、ベース７１の開口部７２と、側壁７３ａ，７３ｂ，７３ｃによって第１流路５１が囲み形成されるとともに、開口部７２の他方の長辺側に第１流路５１の流出口７４が形成され、第１流路５１に流入した熱媒体が流出口７４から流出されるようになっている。したがって、本実施形態では、開口部７２及び側壁７３ａ〜７３ｃによって第１流路５１を区画する流路区画部が形成されている。
【００２９】
第１流路形成部材６１のベース７１は、その外形の寸法が、透孔２２ｃの外形より大きくなっている。また、ベース７１の四隅には、挿通孔７１ｂが形成されている。ベース７１の開口部７２は、ベース７１における対向する短辺のうち、一方の短辺からの離間距離が、他方の短辺からの離間距離に比べて長くなっている。したがって、開口部７２と、ベース７１における一方の短辺との間には、取付部７１ａが形成され、この取付部７１ａには、第１流路５１に気体状の熱媒体を供給する供給手段としての第１送風機８１が取り付けられる。第１送風機８１は、流路区画部の側壁７３ａに一体化され、流路区画部は第１送風機８１を一体に備えている。第１送風機８１には、熱交換器ユニット４０の外部から熱媒体を吸入する吸入口８１ａが形成されており、吸入口８１ａから吸入された熱媒体を第１流路５１に供給するようになっている。
【００３０】
第２流路形成部材６２は、四角枠状に形成されたベース７５を備え、このベース７５には、矩形状の開口部７６が形成されている。開口部７６の一対の短辺からは、第１側壁７７ａが立設されている。開口部７６の一方の長辺からは、第２側壁７７ｂが立設されるとともに、側壁７７ａ，７７ｂの先端には、第３側壁７７ｃが設けられている。そして、ベース７５の開口部７６と、側壁７７ａ，７７ｂ，７７ｃによって第２流路５２が囲み形成されるとともに、開口部７６の他方の長辺側に第２流路５２の流出口７８が形成され、第２流路５２に流入した熱媒体が流出口７８から流出されるようになっている。したがって、本実施形態では、開口部７６及び側壁７７ａ〜７７ｃによって第２流路５２を区画する流路区画部が形成されている。
【００３１】
第２流路形成部材６２のベース７５は、第１流路形成部材６１のベース７１に比べて、ベース７５の長辺方向の長さが短く形成されている。したがって、第１流路形成部材６１と、第２流路形成部材６２を向かい合わせた状態で、第２流路形成部材６２から第１流路形成部材６１に向けた平面視において、第１流路形成部材６１の取付部７１ａが第２流路形成部材６２のベース７５に対して突出している。そして、取付部７１ａの第１送風機８１が取り付けられている面と逆側の面と対向する位置に、第２流路５２に気体状の熱媒体を供給する第２送風機８２が配設されている。第２送風機８２は、流路区画部の側壁７７ａに一体化され、流路区画部は、第２送風機８２を一体に備えている。第２送風機８２には、熱交換器ユニット４０の外部から熱媒体を吸入する吸入口（図示略）が形成されており、吸入口から吸入された熱媒体を第２流路５２に供給するようになっている。
【００３２】
そして、第１流路形成部材６１のベース７１と、第２流路形成部材６２のベース７５とを熱電変換ユニット５０を挟んだ状態で向かい合わせ、ボルトＢ１で第１流路形成部材６１のベース７１、第２流路形成部材６２のベース７５及び熱電変換ユニット５０が固定されることで熱交換器ユニット４０が形成されている。
【００３３】
図４に示すように、熱電変換ユニット５０には、第１熱交換器４２のフィン４８を覆うように第１流路形成部材６１が取り付けられている。具体的にいえば、フィン４８は、第１側壁７３ａ、第２側壁７３ｂ及び第３側壁７３ｃによって覆われることで、第１流路５１内に露出している。また、熱交換器ユニット４０において、流出口７４は、フィン４８の延設方向における一端側に開口している。また、流出口７４は、基部４７の長辺方向に沿って延びている。
【００３４】
熱電変換ユニット５０には、第２熱交換器４３の外用フィン４５を覆うように第２流路形成部材６２が取り付けられている。具体的にいえば、外用フィン４５は、第１側壁７７ａ、第２側壁７７ｂ及び第３側壁７７ｃによって覆われることで、第２流路５２内に露出している。また、熱交換器ユニット４０において、流出口７８は、外用フィン４５の延設方向における一端側に開口している。また、流出口７８は、基部４４の長辺方向に沿って延びている。
【００３５】
図５に示すように、第１流路５１内には、複数のフィン４８の並設方向に延びる分配路５３が形成されている。分配路５３は、各フィン４８の延設方向における他端と、第２側壁７３ｂとの間（流出口７４の逆側）に区画されており、隣り合うフィン４８の間に形成された各フィン間流路５４に連通している。第２側壁７３ｂにおいて、分配路５３を流通する熱媒体の流通方向における下流側には、熱媒体を流出口７４に向けて誘導するテーパ面７３ｄが形成されている。テーパ面７３ｄは、分配路５３を流通する熱媒体の流通方向に対して流出口７４に向けて傾くように形成されている。
【００３６】
図１に示すように、上記のように構成された熱交換器ユニット４０は、フィン４８の並設方向が第１側壁２２ａの長辺方向と一致するようにケース２０の第１側壁２２ａに取り付けられる。具体的にいえば、熱交換器ユニット４０は、第１流路形成部材６１の流路形成部及び第１送風機８１が透孔２２ｃを介してケース２０の内部に挿入され、第１流路形成部材６１のベース７１の挿通孔７１ｂに挿通したボルトＢ２を第１側壁２２ａに螺合する。このとき、ベース７１と透孔２２ｃの周りとの間にシール材を設けている。これにより、熱交換器ユニット４０が、第１側壁２２ａに取り付けられるとともに、熱交換器ユニット４０が第１側壁２２ａの一部を形成している。したがって、本実施形態では、ベース７１が取付部材として機能している。
【００３７】
図５に示すように、熱交換器ユニット４０が第１側壁２２ａに取り付けられた状態で、フィン４８の並設方向は、第１側壁２２ａの長辺方向となり、フィン４８の延設方向は、第１側壁２２ａの短辺方向となる。そして、流出口７４は、第１側壁２２ａの長辺方向に延びている。また、フィン４８の並設方向に隣り合うフィン４８の間には、フィン間流路５４が形成されている。さらに、分配路５３は、フィン４８の高さ方向上側に位置し、フィン間流路５４の入口は、フィン４８の高さ方向上側に位置し、出口は高さ方向下側に位置している。そして、流出口７４が第１側壁２２ａの高さ方向下側（鉛直方向下方）に位置している。
【００３８】
そして、角形電池３１を、その厚み方向に複数並設してなる電池モジュール３０をケース２０の内部に収容することで、電池パック１０が構成されている。
次に、本実施形態の熱交換器ユニット４０の作用について説明する。
【００３９】
電池パック１０が使用される場合、寒冷地や冬季など、環境温度が角形電池３１の放電に支障をきたすほど低いときには、角形電池３１の加熱が行われる。具体的に言えば、第１熱交換器４２が加熱されるように熱電変換素子４１に通電を行うことで、第１流路５１を流通する熱媒体の加熱を行う。
【００４０】
一方、角形電池３１の使用に伴う発熱などにより、角形電池３１の温度が放電に支障をきたすほど上昇したときには、角形電池３１の冷却が行われる。具体的に言えば、第１熱交換器４２が冷却されるように熱電変換素子４１に通電を行うことで、第１流路５１を流通する熱媒体の冷却を行う。
【００４１】
第１送風機８１によって第１流路５１に供給された熱媒体は、分配路５３を流通する。そして、分配路５３を流通する熱媒体は、分配路５３を流通する熱媒体の流通方向における下流側に流通するにしたがい、フィン間流路５４の入口からフィン間流路５４に供給されていく。また、各フィン間流路５４を流通した熱媒体は、各フィン間流路５４の出口を介して流出口７４に排出され、さらに、流出口７４からケース２０内に供給される。熱媒体は、分配路５３を流通する熱媒体の流通方向における下流側では、テーパ面７３ｄによって流出口７４に向けて誘導されて、流出口７４から排出される。したがって、第１側壁２２ａの高さ方向に延びるフィン４８が、長辺方向に複数並設されるため、そのフィン４８に連通する流出口７４を長辺方向に延ばすことができる。よって、熱交換された熱媒体を第１側壁２２ａの長辺方向に延びる流出口７４からケース２０内に供給できる。
【００４２】
したがって、上記実施形態によれば以下のような効果を得ることができる。
（１）第１熱交換器４２に形成されたフィン４８は、第１側壁２２ａの高さ方向に延設され、第１側壁２２ａの長辺方向に並設されている。したがって、第１流路５１で熱媒体が流れると、熱媒体は各フィン間流路５４を流れて流出口７４からケース２０内に供給される。また、フィン４８は、第１側壁２２ａの長辺方向に延びるように並設されているため、それらフィン４８によって区画される複数のフィン間流路５４を第１側壁２２ａの長辺方向に沿って並設することができる。そして、複数のフィン間流路５４は流出口７４に開口しているため、流出口７４そのものを第１側壁２２ａの長辺方向に開口させることができる。したがって、フィン４８が、第１側壁２２ａの長辺方向に延び、フィン間流路５４が第１側壁２２ａの高さ方向に並設されている場合と比べるとフィン間流路５４の数、ひいては流出口７４の開口の大きさを増やすことができる。よって、第１熱交換器４２で熱交換された熱媒体は、第１側壁２２ａの長辺方向のほぼ全体を使って流出口７４からケース２０内に供給され、長辺方向での熱媒体の偏流を抑制しつつ、ケース２０内で循環させることができる。
【００４３】
（２）フィン間流路５４の入口は、第１側壁２２ａの高さ方向上側に位置し、出口は、高さ方向下側に位置している。そして、フィン間流路５４では、熱媒体が高さ方向上側から高さ方向下側に流れる。したがって、第１流路５１内で結露が生じた場合には、結露水は、熱媒体の流れと重力に従って流出口７４から排出される。よって、例えば、熱媒体が高さ方向下側から高さ方向上側へ流れる場合のように、結露水の重力落下が熱媒体の流れによって邪魔されることがなく、第１流路５１内に結露水が貯留されることが防止される。
【００４４】
（３）温度調節装置として、通電の極性に応じて吸熱と放熱の相反する作用を行う第１面４１ａ及び第２面４１ｂを有する熱電変換素子４１を用いている。したがって、熱電変換素子４１への通電の極性を変更することにより、第１流路５１を流通する熱媒体の加熱と冷却を切り替えることができる。このため、単一の温度調節装置を用いて角形電池３１の加熱及び冷却を行うことができる。また、熱電変換素子４１の第２面４１ｂにも、外用フィン４５（第２熱交換器４３）を熱的に結合した。このため、外用フィン４５で熱電変換素子４１の第２面４１ｂと熱交換を行うことができるため、第１面４１ａと第２面４１ｂの温度差が大きくなることを抑制して、熱電変換効率の低下を抑制することができる。
【００４５】
（４）第１流路５１に、フィン４８の並設方向に延びる分配路５３を形成している。このため、第１送風機８１から供給される熱媒体は、フィン４８の並設方向に向けて流通する。そして、分配路５３を流通する熱媒体は、分配路５３を流通するにしたがい、各フィン間流路５４に供給される。したがって、複数のフィン間流路５４間で、熱媒体の流量の差が小さくなり、流出口７４からケース２０に流出する熱媒体の偏流が抑えられる。
【００４６】
（５）熱交換器ユニット４０において、流路区画部と、送風機８１，８２は一体化されている。したがって、熱交換器ユニット４０をケース２０の第１側壁２２ａに取り付けるときに、熱電変換素子４１と、熱交換器４２，４３と、流路形成部材６１，６２と、送風機８１，８２とを一括してケース２０に取り付けることができ、熱交換器ユニット４０のケース２０への取付性を良好なものにすることができる。
【００４７】
（６）第１流路形成部材６１の流路形成部及び第１送風機８１をケース２０の内部に露出させる透孔２２ｃが形成されている。そして、ベース７１が、透孔２２ｃ周りに当接している。これによれば、透孔２２ｃの周りでは、第１側壁２２ａとベース７１との当接によって、第１側壁２２ａとベース７１との間がシールされ、ケース２０内の熱媒体が透孔２２ｃを介してケース２０外へ洩れることを防止できる。よって、熱交換器ユニット４０のケース２０への取付と同時に熱媒体の洩れも防止することができる。
【００４８】
（７）流出口７４は、高さ方向の下方に向けて開口している。このため、フィン間流路５４を流通した熱媒体は、流通方向が変更されることなく流出口７４から排出される。したがって、熱媒体の偏流が抑制される。
【００４９】
なお、実施形態は、以下のように変更してもよい。
○  実施形態において、図６に示すように、第１流路形成部材６１における対向する一対の第１側壁７３ａの両側に第１送風機８１を設けてもよい。この場合、熱媒体の偏流を抑制するために、第１流路形成部材６１の第２側壁７３ｂにおいて、分配路５３を流通する熱媒体の流通方向における略中央に熱媒体を流出口７４に誘導するためのテーパ面７３ｅを形成してもよい。テーパ面７３ｅは、第２側壁７３ｂから第１流路形成部材６１の内部に向けて突出するように形成されている。
【００５０】
○  実施形態において、図７（ａ）に示すように、供給手段としての送風機８３を側壁７３ｃに取り付け、第１熱交換器４２の基部４７に対向する位置に設けて、基部４７の対向する位置から基部４７に向けて送風を行ってもよい。この場合、図７（ｂ）に示すように、送風機８３が供給する熱媒体の流通方向にテーパ面７３ｆを形成することで、熱媒体の偏流を抑制することができる。テーパ面７３ｆは、第２側壁７３ｂから、流出口７４に向けて傾くように形成されている。
【００５１】
○  実施形態において、結露が生じない環境下での使用や、結露が生じたとしても電池パック１０の使用に影響がない場合には、流出口７４を高さ方向下側以外の、高さ方向上側などに向けて開口させてもよい。すなわち、流出口７４が第１側壁２２ａの長辺方向に延びていれば、どのような場所に形成されていてもよい。
【００５２】
○  実施形態において、温度調節装置としてヒータや、冷却装置などを用いてもよい。
○  実施形態において、フィン４８と第２側壁７３ｂの間に分配路５３を形成したが、フィン４８と第１流路形成部材６１の側壁７３ｃの間に流路を形成し、この流路を分配路５３としてもよい。
【００５３】
○  実施形態において、第１流路５１を流通する熱媒体が各フィン間流路５４を適切に流通すれば、分配路５３を形成しなくてもよい。
○  実施形態において、ベース７１に取付部７１ａを形成せず、ケース２０の側壁２２ａ，２２ｂ，２３ａ，２３ｂに第１送風機８１及び第２送風機８２を取り付けてもよい。
【００５４】
○  実施形態において、流出口７４は、第１側壁２２ａの長辺方向に延びていればよく、例えば、第１流路形成部材６１の第３側壁７３ｃに、第１側壁２２ａの長辺方向に延びる流出口７４を形成してもよい。
【００５５】
○  実施形態において、ケース２０の形状は四角箱状以外の形状でもよい。例えば、三角形状や、五角形状などの多角形状でもよいし、円形状などであってもよい。
○  実施形態において、電池として円筒形電池や、ラミネート形状の電池を用いてもよい。
【００５６】
○  実施形態において、テーパ面７３ｄを形成しなくてもよい。
○  実施形態において、熱媒体として液状の熱媒体を用いてもよい。この場合、供給手段としてポンプが用いられる。
【符号の説明】
【００５７】
２０…ケース、２２ａ，２２ｂ，２３ａ，２３ｂ…側壁、３１…電池としての角形電池、４０…熱交換器ユニット、４１…温度調節装置としての熱電変換素子、４１ａ…第１面、４１ｂ…第２面、４２…第１熱交換器、４３…第２熱交換器、４５…外用フィン、４８…フィン、５１…流路としての第１流路、５３…分配路、５４…フィン間流路、６１…第１流路形成部材、６２…第２流路形成部材、７１ａ…取付部、７４…流出口、８１…供給手段としての第１送風機、８３…送風機。
【図１】
0005811906.tif 000002
【図２】
0005811906.tif 000003
【図３】
0005811906.tif 000004
【図４】
0005811906.tif 000005
【図５】
0005811906.tif 000006
【図６】
0005811906.tif 000007
【図７】
0005811906.tif 000008
【図８】
0005811906.tif 000009